(57)【特許請求の範囲】
【請求項１】
画像を表示する表示パネルと、
画像信号が２次元画像モードか３次元画像モードかを決定し、前記決定された画像モードに従って第１反転信号又は前記第１反転信号と異なる第２反転信号を生成する制御部と、
前記第１又は第２反転信号に基づいて、前記画像信号を基準電圧に対して第１極性のデータ電圧又は第２極性のデータ電圧に変換して前記表示パネルに出力するデータ駆動部とを有し、
前記制御部は、前記画像モードを決定するモード決定部と、
前記決定された画像モードが前記２次元画像モードの場合、前記第１反転信号を生成し、前記決定された画像モードが前記３次元画像モードの場合、前記第１反転信号とフレーム周期が異なる第２反転信号を生成する制御信号生成部とを含み、
前記制御信号生成部は、前記データ電圧の極性を２フレーム周期で反転させる前記第２反転信号を生成し、
前記第２反転信号は、１フレーム内で、同じ画素列のデータ電圧の極性を同じに維持させ、ｎ番目の（ｎは、自然数）画素列のデータ電圧と（ｎ＋１）番目の画素列のデータ電圧の極性とを反転させることを特徴とする表示装置。
【請求項２】
前記制御信号生成部は、前記データ電圧の極性を１フレーム周期で反転させる前記第１反転信号を生成することを特徴とする請求項１に記載の表示装置。
【請求項３】
前記データ駆動部は、前記第２反転信号に基づいて、
第Ｎフレーム（Ｎは自然数）の間、前記表示パネルに左眼画像フレームの前記第１極性のデータ電圧を出力し、
第（Ｎ＋１）フレームの間、前記表示パネルに右眼画像フレームの前記第１極性のデータ電圧を出力し、
第（Ｎ＋２）フレームの間、前記表示パネルに前記左眼画像フレームの前記第２極性のデータ電圧を出力し、
第（Ｎ＋３）フレームの間、前記表示パネルに前記右眼画像フレームの前記第２極性のデータ電圧を出力することを特徴とする請求項１に記載の表示装置。
【請求項４】
画像を表示する表示パネルと、
画像信号が２次元画像モードか３次元画像モードかを決定し、前記決定された画像モードに従って第１反転信号又は前記第１反転信号と異なる第２反転信号を生成する制御部と、
前記第１又は第２反転信号に基づいて、前記画像信号を基準電圧に対して第１極性のデータ電圧又は第２極性のデータ電圧に変換して前記表示パネルに出力するデータ駆動部とを有し、
前記制御部は、前記画像モードを決定するモード決定部と、
前記決定された画像モードが前記２次元画像モードの場合、前記第１反転信号を生成し、前記決定された画像モードが前記３次元画像モードの場合、前記第１反転信号とフレーム周期が異なる第２反転信号を生成する制御信号生成部とを含み、
前記制御信号生成部は、前記３次元画像モードの１番目フレームと２番目フレームのデータ電圧の極性は反転させ、２番目フレームから最後のフレームまでのデータ電圧の極性は、２フレーム周期で反転させる前記第２反転信号を生成することを特徴とする表示装置。
【請求項５】
前記データ駆動部は、前記第２反転信号に基づいて、
第Ｎフレーム（Ｎは自然数）の間、前記表示パネルに左眼画像フレームの前記第１極性のデータ電圧を出力し、
第（Ｎ＋１）フレームの間、前記表示パネルに右眼画像フレームの前記第２極性のデータ電圧を出力し、
第（Ｎ＋２）フレームの間、前記表示パネルに前記左眼画像フレームの前記第２極性のデータ電圧を出力し、
第（Ｎ＋３）フレームの間、前記表示パネルに前記右眼画像フレームの前記第１極性のデータ電圧を出力することを特徴とする請求項４に記載の表示装置。
【請求項６】
前記第２反転信号は、１フレーム内で同じ画素列のデータ電圧の極性を同じに維持させ、ｎ番目（ｎは自然数）画素列のデータ電圧と（ｎ＋１）番目画素列のデータ電圧の極性は反転させることを特徴とする請求項５に記載の表示装置。
【請求項７】
前記第２反転信号は、１フレーム内で前記データ電圧をＫ水平周期（Ｋは自然数）で反転させることを特徴とする請求項１に記載の表示装置。
【発明の詳細な説明】
【技術分野】
【０００１】
本発明は、表示装置に関し、特に、３次元画像の表示品質を向上させることのできる表示装置に関する。
【背景技術】
【０００２】
一般に、液晶表示装置は２次元平面画像（以下、２次元画像と記す）を表示する。近年、ゲーム、映画などの分野で３次元立体画像（以下、３次元画像と記す）に対する需要が増加することによって、液晶表示装置を利用して３次元画像を表示することが開発されている。
【０００３】
通常、立体画像（３次元画像）表示装置は、人の両眼を通じて両眼視差（ｂｉｎｏｃｕｌａｒ  ｐａｒａｌｌａｘ）の原理を利用して立体画像（３次元画像）を表示する。例えば、人の両眼は一定間隔離れているので、それぞれの目で異なる角度で観察した画像が、脳内に入力される。３次元画像表示装置は、こうした両眼視差を利用している。
【０００４】
両眼視差を利用する３次元画像表示装置の方式としては、メガネ方式（ｓｔｅｒｅｏｓｃｏｐｉｃ）と非メガネ方式（ａｕｔｏｓｔｅｒｅｏｓｃｏｐｉｃ）がある。
メガネ方式には、両眼に各々青色と赤色の色眼鏡をかけるアナグリフ（ａｎａｇｌｙｐｈ）方式と、時間分割して左眼画像と右眼画像を周期的に表示し、この周期に同期した左眼シャッタと右眼シャッタとを開閉する眼鏡をかけるシャッタメガネ（Ｓｈｕｔｔｅｒ  Ｇｌａｓｓ）方式などがある。
【０００５】
一般的にシャッタメガネ方式が適用された液晶表示装置は、時分割方式であって、左眼画像と右眼画像を表示することによって高周波数で駆動される。
しかしながら、高周波数で駆動されることによって画素の充電率が不足して画質が低下するという問題がある。
また、高周波数で駆動されることによって消費電力が増加するという問題がある。
【先行技術文献】
【特許文献】
【０００６】
【特許文献１】特開２００９−０７５３９２号公報
【特許文献２】特開２００４−２７１６１７号公報
【特許文献３】米国特許出願公開第２００９／０００９５０８号明細書
【特許文献４】国際特許出願公開第ＷＯ２００７／０８３９８２号明細書
【発明の概要】
【発明が解決しようとする課題】
【０００７】
そこで、本発明は上記従来の３次元画像表示装置における問題点に鑑みてなされたものであって、本発明の目的は、３次元画像の表示品質を改善することのできる表示装置を提供することにある。
【課題を解決するための手段】
【０００８】
上記目的を達成するためになされた本発明による表示装置は、画像を表示する表示パネルと、画像信号が２次元画像モードか３次元画像モードかを決定し、前記決定された画像モードに従って第１反転信号又は前記第１反転信号と異なる第２反転信号を生成する制御部と、前記第１又は第２反転信号に基づいて、前記画像信号を基準電圧に対して第１極性のデータ電圧又は第２極性のデータ電圧に変換して前記表示パネルに出力するデータ駆動部とを有し、前記制御部は、前記画像モードを決定するモード決定部と、前記決定された画像モードが前記２次元画像モードの場合、前記第１反転信号を生成し、前記決定された画像モードが前記３次元画像モードの場合、前記第１反転信号とフレーム周期が異なる第２反転信号を生成する制御信号生成部とを含み、前記制御信号生成部は、前記データ電圧の極性を２フレーム周期で反転させる前記第２反転信号を生成し、前記第２反転信号は、１フレーム内で、同じ画素列のデータ電圧の極性を同じに維持させ、ｎ番目の（ｎは、自然数）画素列のデータ電圧と（ｎ＋１）番目の画素列のデータ電圧の極性とを反転させることを特徴とする。
【０００９】
前記制御信号生成部は、前記データ電圧の極性を１フレーム周期で反転させる前記第１反転信号を生成することが好ましい。
前記データ駆動部は、前記第２反転信号に基づいて、第Ｎフレーム（Ｎは自然数）の間、前記表示パネルに左眼画像フレームの前記第１極性のデータ電圧を出力し、第（Ｎ＋１）フレームの間、前記表示パネルに右眼画像フレームの前記第１極性のデータ電圧を出力し、第（Ｎ＋２）フレームの間、前記表示パネルに前記左眼画像フレームの前記第２極性のデータ電圧を出力し、第（Ｎ＋３）フレームの間、前記表示パネルに前記右眼画像フレームの前記第２極性のデータ電圧を出力することが好ましい。
【００１０】
また、上記目的を達成するためになされた本発明による表示装置は、画像を表示する表示パネルと、画像信号が２次元画像モードか３次元画像モードかを決定し、前記決定された画像モードに従って第１反転信号又は前記第１反転信号と異なる第２反転信号を生成する制御部と、前記第１又は第２反転信号に基づいて、前記画像信号を基準電圧に対して第１極性のデータ電圧又は第２極性のデータ電圧に変換して前記表示パネルに出力するデータ駆動部とを有し、前記制御部は、前記画像モードを決定するモード決定部と、前記決定された画像モードが前記２次元画像モードの場合、前記第１反転信号を生成し、前記決定された画像モードが前記３次元画像モードの場合、前記第１反転信号とフレーム周期が異なる第２反転信号を生成する制御信号生成部とを含み、前記制御信号生成部は、前記３次元画像モードの１番目フレームと２番目フレームのデータ電圧の極性は反転させ、２番目フレームから最後のフレームまでのデータ電圧の極性は、２フレーム周期で反転させる前記第２反転信号を生成することを特徴とする。
前記データ駆動部は、前記第２反転信号に基づいて、第Ｎフレーム（Ｎは自然数）の間、前記表示パネルに左眼画像フレームの前記第１極性のデータ電圧を出力し、第（Ｎ＋１）フレームの間、前記表示パネルに右眼画像フレームの前記第２極性のデータ電圧を出力し、第（Ｎ＋２）フレームの間、前記表示パネルに前記左眼画像フレームの前記第２極性のデータ電圧を出力し、第（Ｎ＋３）フレームの間、前記表示パネルに前記右眼画像フレームの前記第１極性のデータ電圧を出力することが好ましい。
前記第２反転信号は、１フレーム内で同じ画素列のデータ電圧の極性を同じに維持させ、ｎ番目（ｎは自然数）画素列のデータ電圧と（ｎ＋１）番目画素列のデータ電圧の極性は反転させることが好ましい。
前記第２反転信号は、１フレーム内で前記データ電圧をＫ水平周期（Ｋは自然数）で反転させることが好ましい。
【発明の効果】
【００１１】
本発明に係る表示装置によれば、３次元画像モードでデータ電圧の極性を複数のフレーム周期で反転させることによって３次元画像の表示品質を改善することができるという効果がある。
また、フレーム内でデータ電圧の極性を１画素列周期で反転させることによって消費電力を節減し、充電率を向上させることができるという効果がある。
【図面の簡単な説明】
【００１２】
【図１】本発明の一実施形態に係る表示装置の概略を示すブロック図である。
【図２】図１に示す表示パネルの駆動方法を説明するためのフローチャートである。
【図３】図１のデータ駆動部に入力される制御信号のタイミング図である。
【図４】図１のデータ駆動部に入力される制御信号のタイミング図である。
【図５】図４の制御表示パネルの駆動方法を説明するための概念図である。
【図６】本発明の他の実施形態に係るデータ駆動部に入力される制御信号のタイミング図である。
【図７】本発明の他の実施形態に係るデータ駆動部に入力される制御信号のタイミング図である。
【図８】図７の制御信号に係る表示パネルの駆動方法を説明するための概念図である。
【図９】本発明のまた他の実施形態に係るデータ駆動部に入力される制御信号のタイミング図である。
【図１０】本発明のまた他の実施形態に係るデータ駆動部に入力される制御信号のタイミング図である。
【図１１】図１０の制御信号に係る表示パネルの駆動方法を説明するための概念図である。
【図１２】本発明のさらに他の実施形態に係るデータ駆動部に入力される制御信号のタイミング図である。
【図１３】図１２の制御信号に係る表示パネルの駆動方法を説明するための概念図である。
【図１４】本発明のさらに他の実施形態に係るデータ駆動部に入力される制御信号のタイミング図である。
【図１５】図１４の制御信号に係る表示パネルの駆動方法を説明するための概念図である。
【発明を実施するための最良の形態】
【００１３】
次に、本発明に係る表示装置を実施するための形態の具体例を図面を参照しながら説明する。
【００１４】
図１は、本発明の一実施形態に係る表示装置の概略を示すブロック図である。
図１を参照すると、表示装置は、表示パネル１００、制御部２００、データ駆動部３００、ゲート駆動部４００、及びシャッタ眼鏡部５００を含む。
【００１５】
表示パネル１００は、複数の複数のデータ配線ＤＬ、データ配線ＤＬと交差する複数のゲート配線ＧＬ、及び複数の画素Ｐを含む。
各画素Ｐは、データ配線とゲート配線に接続されたスイッチング素子ＴＲ及びスイッチング素子ＴＲと接続された液晶キャパシタＣＬＣを含むことができる。液晶キャパシタＣＬＣの第１電極にはデータ配線ＤＬから伝達されたデータ電圧が印加され、第２電極には、基準電圧（または、共通電圧Ｖｃｏｍ）が印加される。液晶キャパシタＣＬＣは、第１電極と第２電極との間の電圧差により液晶分子の配列方向が調節されて階調を表示する。
【００１６】
制御部２００は、モード決定部２１０、及び制御信号生成部２３０を含む。
モード決定部２１０は、受信した画像信号（Ｄ＿ＳＩＧＮＡＬ）に含まれた情報信号に基づいて画像信号の画像モードを決定する。例えば、受信された画像信号が２次元画像か或いは３次元画像かを決定する。
本実施形態では２次元用画像データは６０Ｈｚまたは１２０Ｈｚのフレーム周波数を有することができる。また、３次元画像データは２０Ｈｚのフレーム周波数を有することができる。
【００１７】
制御信号生成部２３０は、外部から受信された初期制御信号（Ｃ＿ＳＩＧＮＡＬ）に基づいてデータ駆動部３００を制御する制御信号を生成する。制御信号は、垂直同期信号ＳＴＶ、ロード信号ＴＰ、及び反転信号を含むことができる。垂直同期信号ＳＴＶはフレームの開始信号であり、ロード信号ＴＰは、データ電圧を１水平周期１Ｈでデータ配線にロードする信号であり、反転信号はデータ電圧の極性を制御する制御信号である。
【００１８】
反転信号は、画像モードによって、反転方式が異なる２次元用反転信号（２Ｄ＿ＲＥＶ）及び３次元用反転信号（３Ｄ＿ＲＥＶ）を含む。
反転方式は同一フレーム区間でＫ（Ｋは自然数）水平周期でデータ電圧の極性を反転する方式と、連続するフレーム区間で同じ画素に印加されるデータ電圧の極性を反転させる方式を有することができる。
制御信号生成部２３０は、画像モードによってフレーム周期が異なる２次元用反転信号（２Ｄ＿ＲＥＶ）及び３次元用反転信号（３Ｄ＿ＲＥＶ）を生成してデータ駆動部３００に提供する。
【００１９】
データ駆動部３００は、制御部２００から提供された制御信号に基づいてデジタル形態の画像データを、アナログ形態のデータ電圧に変換する。また、データ駆動部３００は、画像モードによって提供される２次元用反転信号（２Ｄ＿ＲＥＶ）または３次元用反転信号（３Ｄ＿ＲＥＶ）に基づいてデータ電圧の極性を制御する。データ電圧は、基準電圧より高い第１極性（正（＋）極性）と基準電圧より低い第２極性（負（−）極性）を有する。データ駆動部３００から出力される隣接したデータ電圧の極性を互いに反転させる。
【００２０】
ゲート駆動部４００は、制御信号生成部２３０から提供された制御信号に基づいて複数のゲート信号を生成して順次にゲート配線ＧＬに出力する。
【００２１】
シャッタ眼鏡部５００は、左眼シャッタ５１０及び右眼シャッタ５２０を含む。
シャッタ眼鏡部５００は、３次元画像モード時に、表示パネル１００に表示される画像に従って駆動する。例えば、表示パネル１００に左眼画像フレームが表示される間、左眼シャッタ５１０を開き、右眼シャッタ５２０を閉じる。表示パネル１００に右眼画像フレームが表示される間、右眼シャッタ５２０を開き、左眼シャッタ５１０を閉じる。これによって、観察者は表示パネル１００に表示される左眼画像及び右眼画像を視認することができる。
【００２２】
図２は、図１に示す表示パネルの駆動方法を説明するためのフローチャートであり、
図３及び図４は、図１のデータ駆動部に入力される制御信号のタイミング図である。
【００２３】
図１及び図２を参照すると、制御部２００は画像データ及び制御信号を受信する（ステップＳ１００）。
モード決定部２１０は画像データの画像モードを決定する（ステップＳ１２０）。
【００２４】
モード決定部２１０は、画像データの画像モードによって制御信号生成部２３０を制御する。
制御信号生成部２３０が画像データの画像モードが２次元画像モードの場合、２次元用反転信号（２Ｄ＿ＲＥＶ）を生成する（ステップＳ１３０）。
【００２５】
図３を参照すると、２次元用反転信号（２Ｄ＿ＲＶ）をデータ電圧の極性を任意のフレーム内で１水平周期１Ｈで反転させ、１フレーム周期で反転させる。
【００２６】
例えば、データ駆動部３００が垂直同期信号ＳＴＶのトグル（ｔｏｇｇｌｅ）が受信され、ロード信号ＴＰのトグルが受信されるとデ−タ駆動部３００は、２次元用反転信号（２Ｄ＿ＲＥＶ）によって水平ラインに該当するデ−タ電圧の極性を決定して表示パネル１００に出力する。
以下においては水平ラインのデ−タ電圧のうち、ｎ番目（ｎは自然数）画素列の画素に印加されるデ−タ電圧の極性を例として説明する。
【００２７】
従って、第Ｎフレームの間（Ｎは自然数）、データ駆動部３００はｎ番目画素列の画素に１水平周期で反転する極性のデータ電圧（＋，−，＋，−，＋，−，…）を出力する。
第（Ｎ＋１）フレームの間、データ駆動部３００はｎ番目画素列の画素に１フレーム周期で反転されたデータ電圧を出力する。
即ち、ｎ番目画素列の画素には第Ｎフレームの間に印加されたデータ電圧の極性と反転された極性のデータ電圧（−，＋，−，＋，−，＋，…）が印加される。
【００２８】
第（Ｎ＋２）フレームの間、データ駆動部３００は、ｎ番目画素列の画素に第（Ｎ＋１）フレームの極性と反転された極性のデータ電圧（＋，−，＋，−，＋，−，…）を出力し、第（Ｎ＋３）フレームの間、データ駆動部３００はｎ番目画素列の画素に第（Ｎ＋２）フレームの極性と反転された極性のデータ電圧（−，＋，−，＋，−，＋，…）を出力する（ステップＳ１５０）。
【００２９】
このようにして、２次元画像モードで、表示パネル１００に印加されるデータ電圧が１フレーム周期で反転する。
【００３０】
続いて、制御信号生成部２３０は、画像データの画像モードが３次元画像モードの場合、３次元用反転信号（３Ｄ＿ＲＥＶ）を生成する（ステップＳ１４０）。
３次元画像モ−ドの場合、画像デ−タは左眼画像フレ−ムと右眼画像フレ−ムを含む。例えば、１２０Ｈｚの周波数で左眼画像フレ−ム及び右眼画像フレ−ムが受信される。
【００３１】
図４を参照すると、３次元用反転信号（３Ｄ＿ＲＥＶ）がデータ電圧の極性を任意のフレーム内に１水平周期で反転させ、２フレーム周期で反転させる。
【００３２】
例えば、第Ｎフレーム（の間、データ駆動部３００はｎ番目画素列の画素に１水平周期で反転する極性のデータ電圧（＋，−，＋，−，＋，−，…）を出力する。
第（Ｎ＋１）フレームの間、データ駆動部３００はｎ番目画素列の画素に第Ｎフレームの極性と同じ極性のデータ電圧（＋，−，＋，−，＋，−，…）を出力する。
【００３３】
一方、第（Ｎ＋２）フレームの間、データ駆動部３００は２フレーム周期で反転されたデータ電圧を出力する。即ち、ｎ番目画素列の画素には第（Ｎ＋１）フレームの間に印加されたデータ電圧の極性と反転された極性のデータ電圧（−，＋，−，＋，−，＋，…）を出力する。
第（Ｎ＋３）フレームの間、データ駆動部３００はｎ番目画素列の画素に第（Ｎ＋２）フレームの極性と同じ極性のデータ電圧（−，＋，−，＋，−，＋，…）を出力する（ステップＳ１５０）。
【００３４】
このようにして、３次元画像モードで、表示パネル１００に印加されるデータ電圧が２フレーム周期で反転する。
【００３５】
図５は、図４の制御表示パネルの駆動方法を説明するための概念図である。
図５を参照すると、３次元画像モードの時、データ駆動部３００は、第Ｎフレームには左眼画像フレームのデータ電圧を表示パネル１００に出力し、第（Ｎ＋１）フレームには右眼画像フレームのデータ電圧を表示パネル１００に出力し、第（Ｎ＋２）フレームには左眼画像フレームのデータ電圧を表示パネル１００に出力し、第（Ｎ＋３）フレームには右眼画像フレームのデータ電圧を表示パネル１００に出力する。
例えば、表示パネル１００は１２０Ｈｚのフレーム周波数で駆動することができる。
【００３６】
図４の３次元用反転信号（３Ｄ＿ＲＥＶ）に基づいてデータ電圧の極性は２フレームを周期で反転する。
ｎ番目画素列ＰＣｎの画素に印加さるデータ電圧の極性を調べると、第Ｎフレームの左眼画像フレームのデータ電圧は、（＋，−，＋，−，＋，−）のような極性を有し、第（Ｎ＋２）フレームの左眼画像フレームのデータ電圧は、（−，＋，−，＋，−，＋）のような極性を有する。さらに、第（Ｎ＋１）フレームの右眼画像フレームのデータ電圧は、（＋，−，＋，−，＋，−）のような極性をを有し、第（Ｎ＋３）フレームの右眼画像フレームのデータ電圧は、（−，＋，−，＋，−，＋）のような極性を有する。
【００３７】
これによって、表示パネル１００に印加されたデータ電圧の極性が第Ｎフレームの左眼画像フレームと第（Ｎ＋２）フレームの左眼画像フレームは互いに反転される。
また、第（Ｎ＋１）フレームの右眼画像フレームと第（Ｎ＋３）フレームの右眼画像フレームは互いに反転される。
【００３８】
従って、連続する前記左眼または右眼画像フレームのデータ電圧は、常に反対極性のデータ電圧を有する。これによって、前記左眼または右眼画像フレームを表示する前記表示パネル１００の液晶にＤＣ電圧が充電されることを防止して表示品質を向上させることができる。
【００３９】
図６及び図７は、本発明の他の実施形態に係るデータ駆動部に入力される制御信号のタイミング図であり、図８は図７の制御信号に係る表示パネルの駆動方法を説明するための概念図である。
図６を参照すると、２次元用反転信号（２Ｄ＿ＲＥＶ２）は、データ電圧の極性を任意のフレーム区間においては２水平周期で反転させ、１フレーム周期で反転させる。
【００４０】
例えば、第Ｎフレームの間、データ駆動部３００はｎ番目画素列の画素に２水平周期で反転する極性のデータ電圧（＋，＋，−，−，＋，＋，…）を出力する。
第（Ｎ＋１）フレームの間、データ駆動部３００はｎ番目画素列の画素に１フレーム周期で反転されたデータ電圧を出力する。即ち、ｎ番目画素列の画素には第Ｎフレームの間に印加されたデータ電圧の極性と反転された極性のデータ電圧（−，−，＋，＋，−，−，…）を出力する。
第（Ｎ＋２）フレームの間、データ駆動部３００はｎ番目画素列の画素に第（Ｎ＋１）フレームの極性と反転された極性のデータ電圧（＋，＋，−，−，＋，＋，…）を出力し、第（Ｎ＋３）フレームの間、データ駆動部３００はｎ番目画素列の画素に第（Ｎ＋２）フレームの極性と反転された極性のデータ電圧（−，−，＋，＋，−，−，…）を出力する。
【００４１】
このようにして、２次元画像モードにおいて、表示パネル１００に印加されるデータ電圧は１フレーム周期で反転する。
【００４２】
図７を参照すると、３次元用反転信号（３Ｄ＿ＲＥＶ２）は、データ電圧の極性を任意のフレーム区間で２水平周期で反転させ、２フレーム周期で反転させる。
【００４３】
例えば、第Ｎフレームの間、データ駆動部３００はｎ番目画素列の画素に２水平周期で反転する極性のデータ電圧（＋，＋，−，−，＋，＋，…）を出力する。
第（Ｎ＋１）フレームの間、データ駆動部３００はｎ番目画素列の画素に第Ｎフレームの極性と同じ極性のデータ電圧（＋，＋，−，−，＋，＋，…）を出力する。
【００４４】
一方、第（Ｎ＋２）フレームの間、データ駆動部３００は２フレーム周期で反転されたデータ電圧を出力する。即ち、ｎ番目画素列の画素には第（Ｎ＋１）フレームの間に印加されたデータ電圧の極性と反転された極性のデータ電圧（−，−，＋，＋，−，−，…）を出力する。第（Ｎ＋３）フレームの間、データ駆動部３００はｎ番目画素列の画素に第（Ｎ＋２）フレームの極性と同じ極性のデータ電圧（−，−，＋，＋，−，−，…）を出力する。
【００４５】
このようにして、３次元画像モードにおいて、表示パネル１００に印加されるデータ電圧は２フレーム周期で反転する。
【００４６】
図７及び図８を参照すると、３次元用反転信号（３Ｄ＿ＲＥＶ２）に基づいてデータ電圧の極性は、２フレームの周期で反転する。
ｎ番目画素列ＰＣｎの画素に印加されるデータ電圧の極性を調べると、第Ｎフレームの左眼画像フレームのデータ電圧は、（＋，＋，−，−，＋，＋）のような極性を有し、第（Ｎ＋２）フレームの左眼画像フレームのデータ電圧は、（−，−，＋，＋，−，−）のような極性を有する。また、第（Ｎ＋１）フレームの右眼画像フレームのデータ電圧は、（＋，＋，−，−，＋，＋のような極性を有し、第（Ｎ＋３）フレームの右眼画像フレームのデータ電圧は、（−，−，＋，＋，−，−）のような極性を有する。
【００４７】
従って、連続する左眼または右眼画像フレームのデータ電圧は、常に反対極性のデータ電圧を有する。
これによって、左眼または右眼画像フレームを表示する表示パネル１００の液晶にＤＣ電圧が充電されることを防止して表示品質を向上させることができる。
【００４８】
図９及び図１０は、本発明のまた他の実施形態に係るデータ駆動部に入力される制御信号のタイミング図であり、図１１は、図１０の制御信号に係る表示パネルの駆動方法を説明するための概念図である。
【００４９】
図９を参照すると、２次元用反転信号（２Ｄ＿ＲＥＶ３）は、データ電圧の極性を任意のフレーム区間では、（１＋２）水平周期で反転し、１フレーム周期で反転する反転信号である。即ち、２次元用反転信号（２Ｄ＿ＲＥＶ３）は、１フレーム内で１番目水平ライン及び２番目水平ラインのデータ電圧の極性を反転させ、２番目水平ラインから最後の水平ラインまでのデータ電圧は、２水平周期で反転させ、データ電圧の極性を１フレーム周期で反転させる。
【００５０】
例えば、第Ｎフレームの間、データ駆動部３００はｎ番目の画素列の画素に、（１＋２）水平周期で反転する極性のデータ電圧（＋，−，−，＋，＋，−，−，…）を出力する。第（Ｎ＋１）フレームの間、データ駆動部３００はｎ番目画素列の画素に１フレーム周期で反転されたデータ電圧を出力する。即ち、ｎ番目画素列の画素には第Ｎフレームの間に印加されたデータ電圧の極性と反転された極性のデータ電圧（−，＋，＋，−，−，＋，＋，…）が印加される。
【００５１】
第（Ｎ＋２）フレームの間、データ駆動部３００はｎ番目画素列の画素に第（Ｎ＋１）フレームの極性と反転された極性のデータ電圧（＋，−，−，＋，＋，−，−，…）を出力し、第（Ｎ＋３）フレームの間、データ駆動部３００は、ｎ番目画素列の画素に第（Ｎ＋２）フレームの極性と反転された極性のデータ電圧（−，＋，＋，−，−，＋，＋，…）を出力する。
【００５２】
このようにして、２次元画像モードにおいて、表示パネル１００に印加されるデータ電圧は、１フレーム周期で反転する。
【００５３】
図１０を参照すると、３次元用反転信号（３Ｄ＿ＲＥＶ３）は、データ電圧の極性を、任意のフレーム区間では（１＋２）水平周期で反転し、任意の画素は２フレーム周期で反転する反転信号である。３次元用反転信号（３Ｄ＿ＲＥＶ３）は、１フレーム内で１番目水平ライン及び２番目水平ラインのデータ電圧の極性を反転させ、２番目水平ラインから最後の水平ラインまでのデータ電圧は、２水平周期で反転させ、データ電圧を２フレーム周期で反転させる。
【００５４】
例えば、第Ｎフレームの間、データ駆動部３００は、ｎ番目画素列の画素に、（１＋２）水平周期で反転する極性のデータ電圧（＋，−，−，＋，＋，−，−，…）を出力する。第（Ｎ＋１）フレームの間、データ駆動部３００は、ｎ番目画素列の画素に第Ｎフレームの極性と同じ極性のデータ電圧（＋，−，−，＋，＋，−，−，…）を出力する。
【００５５】
一方、第（Ｎ＋２）フレームの間、データ駆動部３００は２フレーム周期で反転されたデータ電圧を出力する。即ち、ｎ番目画素列の画素には第（Ｎ＋１）フレームの間に印加されたデータ電圧の極性と反転された極性のデータ電圧（−，＋，＋，−，−，＋，＋，…）を出力する。第（Ｎ＋３）フレームの間、データ駆動部３００は、ｎ番目画素列の画素に第（Ｎ＋２）フレームの極性と同じ極性のデータ電圧（−，＋，＋，−，−，＋，＋，…）を出力する。
【００５６】
このようにして、３次元画像モードにおいて、表示パネル１００に印加されるデータ電圧は、２フレーム周期で反転する。
【００５７】
図１０及び図１１を参照すると、３次元用反転信号（３Ｄ＿ＲＥＶ３）に基づいてデータ電圧の極性は、２フレームを周期で反転する。
ｎ番目画素列ＰＣｎの画素に印加されるデータ電圧の極性を調べると、第Ｎフレームの左眼画像フレームのデータ電圧は、（＋，−，−，＋，＋，−）のような極性をを有し、第（Ｎ＋２）フレームの左眼画像フレームのデータ電圧は、（−，＋，＋，−，−，＋）のような極性を有する。また、第（Ｎ＋１）フレームの右眼画像フレームのデータ電圧は、（＋，−，−，＋，＋，−）のような極性を有し、第（Ｎ＋３）フレームの右眼画像フレームのデータ電圧は、（−，＋，＋，−，−，＋）のような極性を有する。
【００５８】
従って、連続する左眼または右眼画像フレームのデータ電圧は常に反対極性のデータ電圧を有する。
これによって、左眼または右眼画像フレームを表示する表示パネル１００の液晶にＤＣ電圧が充電されることを防止して表示品質を向上させることができる。
【００５９】
図１２は、本発明のさらに他の実施形態に係るデータ駆動部に入力される制御信号のタイミング図であり、図１３は図１２の制御信号に係る表示パネルの駆動方法を説明するための概念図である。
【００６０】
本実施形態に係る２次元用反転信号は、既に説明した実施形態の２次元用反転信号（２Ｄ＿ＲＥＶ１）、（２Ｄ＿ＲＥＶ２）、（２Ｄ＿ＲＥＶ３）のように多様に設定されることができる。従って、繰り返される説明は省略する。
【００６１】
図１２及び図１３を参照すると、３次元用反転信号（３Ｄ＿ＲＥＶ４）は、データ電圧の極性を任意のフレーム区間では１画素列周期で反転させ、２フレーム周期で反転させる。即ち、３次元用反転信号（３Ｄ＿ＲＥＶ４）は、１フレーム内で同じ画素列のデータ電圧の極性は同じくし、ｎ番目（ｎは自然数）画素列のデータ電圧と（ｎ＋１）番目画素列のデータ電圧の極性は反転させ、データ電圧を２フレーム周期で反転させる。
【００６２】
例えば、第Ｎフレームの間、データ駆動部３００は、ｎ番目画素列ＰＣｎの画素に正極性のデータ電圧（＋，＋，＋，＋，＋，＋，…）を出力し、（ｎ＋１）番目画素列ＰＣ（ｎ＋１）の画素に負極性のデータ電圧（−，−，−，−，−，−，…）を出力する。第（Ｎ＋１）フレームの間、データ駆動部３００は、ｎ番目画素列ＰＣｎの画素に、第Ｎフレームの極性と同じ極性のデータ電圧（＋，＋，＋，＋，＋，＋，…）を出力する。
【００６３】
一方、第（Ｎ＋２）フレームの間、データ駆動部３００は、２フレーム周期で反転されたデータ電圧を出力する。即ち、ｎ番目画素列ＰＣｎの画素には、第（Ｎ＋１）フレームの間に印加されたデータ電圧などの極性と反転された極性のデータ電圧（−，−，−，−，−，−，…）を出力する。第（Ｎ＋３）フレームの間、データ駆動部３００は、ｎ番目画素列ＰＣｎの画素に第（Ｎ＋２）フレームの極性と同じ極性のデータ電圧（−，−，−，−，−，−，…）を出力する。
【００６４】
このようにして、３次元画像モードにおいて、表示パネル１００は同じフレーム内で、１画素列周期で反転し（コラム反転）、２フレーム周期で反転する。
【００６５】
３次元用反転信号（３Ｄ＿ＲＥＶ４）に基づいてデータ電圧の極性は、２フレームを周期で反転する。
ｎ番目画素列ＰＣｎの画素に印加されるデータ電圧の極性を調べると、第Ｎフレームの左眼画像フレームのデータ電圧の（＋，＋，＋，＋，＋，＋）のような極性を有し、第（Ｎ＋２）フレームの左眼画像フレームのデータ電圧は、（−，−，−，−，−，−）のような極性を有する。さらに、第（Ｎ＋１）フレームの右眼画像フレームのデータ電圧は、（＋，＋，＋，＋，＋，＋）のような極性を有し、第（Ｎ＋３）フレームの右眼画像フレームのデータ電圧は、（−，−，−，−，−，−）のような極性を有する。
【００６６】
従って、連続する左眼または右眼画像フレームなどのデータ電圧は、常に反対極性のデータ電圧を有する。これによって、左眼または右眼画像フレームを表示する表示パネル１００の液晶にＤＣ電圧が充電されることを防止して、表示品質を向上させることができる。
また、同じ極性がデータ電圧を２フレーム周期でデータ電圧の極性を反転させることによって消費電力を減少させることができ、充電率を向上させることができる。
【００６７】
図１４は、本発明のさらに他の実施形態に係るデータ駆動部に入力される制御信号のタイミング図であり、図１５は図１４の制御信号に係る表示パネルの駆動方法を説明するための概念図である。
【００６８】
本実施形態に係る２次元用反転信号は、既に説明した実施形態の２次元用反転信号（２Ｄ＿ＲＥＶ１）、（２Ｄ＿ＲＥＶ２）、（２Ｄ＿ＲＥＶ３）のように多様に設定することができる。従って、繰り返される説明は省略する。
【００６９】
図１４及び図１５を参照すると、３次元用反転信号（３Ｄ＿ＲＥＶ５）は、データ電圧の極性を任意のフレーム区間では、１画素列周期で反転し、（１＋２）フレーム周期で反転する反転信号である。３次元用反転信号（３Ｄ＿ＲＥＶ５）は、１フレーム内で同じ画素列のデータ電圧の極性は同じくし、ｎ番目画素列のデータ電圧と（ｎ＋１）番目画素列のデータ電圧の極性を反転させ、３次元画像モードの１番目フレームと２番目フレームのデータ電圧の極性は反転させ、２番目フレームから残りフレームのデータ電圧の極性は、２フレーム周期で反転させる。
【００７０】
例えば、第Ｎフレーム（Ｎフレーム）の間、データ駆動部３００は、ｎ番目画素列ＰＣｎの画素に正極性のデータ電圧（＋，＋，＋，＋，＋，＋，…）を出力し、（ｎ＋１）番目画素列ＰＣ（ｎ＋１）の画素に負極性のデータ電圧（−，−，−，−，−，−，…）を出力する。第（Ｎ＋１）フレームの間、データ駆動部３００は、ｎ番目画素列の画素に第Ｎフレームの極性と同じ極性のデータ電圧（＋，＋，＋，＋，＋，＋）を出力する。
【００７１】
一方、第（Ｎ＋２）フレームの間、データ駆動部３００は２フレーム周期で反転されたデータ電圧を出力する。
即ち、ｎ番目画素列の画素には第（Ｎ＋１）フレームの間に印加されたデータ電圧の極性と反転された極性のデータ電圧（−，−，−，−，−，−，…）を出力する。第（Ｎ＋３）フレームの間、データ駆動部３００は、ｎ番目画素列の画素に第（Ｎ＋２）フレームの極性と同じ極性のデータ電圧（−，−，−，−，−，−，…）を出力する。
【００７２】
このようにして、３次元画像モードにおいて、表示パネル１００は、同じフレーム内で１画素列周期で反転し、（１＋２）フレーム周期で反転する。
【００７３】
３次元用反転信号（３Ｄ＿ＲＥＶ５）に基づいてデータ電圧の極性は、（１＋２）フレームを周期で反転する。
ｎ番目画素列ＰＣｎの画素に印加されるデータ電圧の極性を調べると、第Ｎフレームの左眼画像フレームのデータ電圧は、（＋，＋，＋，＋，＋，＋）のような極性を有し、第（Ｎ＋２）フレームの左眼画像フレームのデータ電圧は、（−，−，−，−，−，−）のような極性を有する。また、第（Ｎ＋１）フレームの右眼画像フレームのデータ電圧は、（−，−，−，−，−，−）のような極性を有し、第（Ｎ＋３）フレームの右眼画像フレームのデータ電圧は、（＋，＋，＋，＋，＋，＋）のような極性を有する。
【００７４】
従って、連続する左眼または右眼画像フレームのデータ電圧は、常に反対極性のデータ電圧を有する。これによって左眼または右眼画像フレームを表示する表示パネル１００の液晶にＤＣ電圧が充電されることを防止して、表示品質を向上させることができる。
また、同一極性がデータ電圧を２フレーム周期でデータ電圧の極性を反転させることによって、消費電力を減少させることができ、充電率を向上させることができる。
【００７５】
尚、本発明は、上述の実施形態に限られるものではない。本発明の技術的範囲から逸脱しない範囲内で多様に変更実施することが可能である。
【産業上の利用可能性】
【００７６】
本発明は、２次元平面画像及び３次元立体画像を表示できる液晶表示装置を含むすべての電子機器に好適に利用することができる。
【符号の説明】
【００７７】
１００    表示パネル
２００    制御部
２１０    モード決定部
２３０    制御信号生成部
３００    データ駆動部
４００    ゲート駆動部
５００    シャッタ眼鏡部
５１０    左眼シャッタ
５２０    右眼シャッタ
【図１】
0005932316.tif 000002
【図２】
0005932316.tif 000003
【図３】
0005932316.tif 000004
【図４】
0005932316.tif 000005
【図５】
0005932316.tif 000006
【図６】
0005932316.tif 000007
【図７】
0005932316.tif 000008
【図８】
0005932316.tif 000009
【図９】
0005932316.tif 000010
【図１０】
0005932316.tif 000011
【図１１】
0005932316.tif 000012
【図１２】
0005932316.tif 000013
【図１３】
0005932316.tif 000014
【図１４】
0005932316.tif 000015
【図１５】
0005932316.tif 000016